(57)【要約】      （修正有）【課題】複雑な機構を必要とせず、容易に患部を照射する高密度レゾナンス波長シート及び高密度レゾナンス波長シートを用いるサポーターを提供する。【解決手段】波長が１０μｍ以上２５μｍ以下であり、放射率が７０％以上９８％以下である遠赤外線を放射する石材を繊維部材に塗布してなる高密度レゾナンス波長シート１を内側体２１の内周面２１ａと外側体２２の内周面２２ａとの間に挟み込み、内側体２１、高密度レゾナンス波長シート１及び外側体２２を折り曲げて、内側体２１側に第一の凹部２０ａを形成し、第一の凹部２０ａに隣接して、内側体２１、高密度レゾナンス波長シート１及び外側体２２を折り曲げて、外側体２２側に第二の凹部２０ｂを形成する。【選択図】図４
2009119172.tif 000002
【特許請求の範囲】
【請求項１】
波長が１０μｍ以上２５μｍ以下であり、放射率が７０％以上９８％以下である遠赤外線を放射する石材を繊維部材に塗布してなることを特徴とする高密度レゾナンス波長シート。
【請求項２】
前記石材にはトルマリンが含まれていることを特徴とする請求項１に記載の高密度レゾナンス波長シート。
【請求項３】
内周側を形成する、弾性体である内側体と、
該内側体と分離され、前記内側体と対向して取り付けられることで外周側を形成する、弾性体である外側体と、
前記内側体の内周面と前記外側体の内周面との間に挟み込まれる前記高密度レゾナンス波長シートと、を備え、
重ね合わせた、前記内側体、前記高密度レゾナンス波長シート及び前記外側体の端部同士を連結し、円筒形状を形成することを特徴とする高密度レゾナンス波長シートを用いるサポーター。
【請求項４】
前記内側体の前記内周面と前記外側体の前記内周面との間に前記高密度レゾナンス波長シートを挟み込み、前記内側体、前記高密度レゾナンス波長シート及び前記外側体を折り曲げて、前記内側体側に第一の凹部を形成することを特徴とする請求項３に記載の高密度レゾナンス波長シートを用いるサポーター。
【請求項５】
前記内側体の前記内周面と前記外側体の前記内周面との間に前記高密度レゾナンス波長シートを挟み込み、前記内側体、前記高密度レゾナンス波長シート及び前記外側体を折り曲げて、前記内側体側に前記第一の凹部を形成し、前記第一の凹部に隣接して、前記内側体、前記高密度レゾナンス波長シート及び前記外側体を折り曲げて、前記外側体側に第二の凹部を形成することを特徴とする請求項３又は４に記載の高密度レゾナンス波長シートを用いるサポーター。
【発明の詳細な説明】
【技術分野】
【０００１】
本発明は、遠赤外線を人体に生じた患部である腫瘍等に照射するための高密度レゾナンス波長シート及び高密度レゾナンス波長シートを用いるサポーターに関する。
【背景技術】
【０００２】
一般に、放射線治療とは、放射線である、電磁波等を利用することにより人体に痛みを与える患部の治療を行うことである。放射線は生体を透過する性質を有しており、この性質を利用して、胸や骨のＸ線写真のように人体内の病気を発見する方法として使われてきた。そして、この放射線が物質中を走ると、その走る道筋にそって物質の分子を電離する。さらに、放射線が人体内を通過の際には人体に痛みを与えることない。例えば、人体内を走ると、この電離作用により、高いレベルの放射線（X線撮影で用いる量の数十倍）は細胞を殺し（DNA切断が主な原因）、細胞の成長と分裂を阻止する。そのため、がん細胞はその周囲にある正常な細胞より早く成長し、分裂するので、放射線治療はがんを治療する上で有用な方法となっている。
【０００３】
そして、放射線治療に際しては、放射線の投与量と影響を受ける正常組織の範囲を厳密に設定することにより、正常組織の影響を最小限に抑え、がん細胞の成長と分裂を最大限に阻止している。しかしながら、 放射線治療には副作用があり、放射線が照射される範囲内に消化管（胃や腸）が含まれる場合、照射の半年から1年後に消化管出血がおこる可能性があり、また放射線が照射される範囲内に脳が含まれる場合、数年後に脳萎縮や痴呆の起こる可能性がある。
【０００４】
また、腫瘍を治療する方法としては、遠赤外線を用いる方法があり、その方法では、遠赤外線の輻射熱で体温を上昇させるため、深部体温を４０℃程度に上げるには皮膚の温度が７０℃程度となるため、長時間照射すると低温やけどを生ずるという問題があり、放射線治療等に取って代わる治療方法とはいえなかった。しかしながら、遠赤外線を用いる方法も種々改良が行われ、例えば、図９に示す遠赤外線を放射する癌治療器具が開示されている。図９に示す癌治療器具では、遠赤外線源２００は、加熱器３００で加熱されて遠赤外線を放射する遠赤外線照射セラミックス４００と、この遠赤外線照射セラミックス４００から放射される遠赤外線を集束して遠赤外線吸収照射セラミックス膜１００に供給する集光レンズ５００を備えている。この遠赤外線源２００は、遠赤外線照射セラミックス４００から放射される遠赤外線を集光レンズ５００で集束して、高いエネルギー密度の遠赤外線を遠赤外線吸収照射セラミックス膜１００に供給する。
【特許文献１】特開２００６−５５５４０（段落００４６  図２）
【発明の開示】
【発明が解決しようとする課題】
【０００５】
しかしながら、図９に示す器具では、遠赤外線吸収照射セラミックス膜１００のセラミックスについては種々の成分の粉末を混練して成形し、焼成して製作されるため、遠赤外線吸収照射セラミックス膜１００の製作工程が煩雑にならざるを得ない。また、器具全体についても、加熱器３００、集光レンズ５００等を必要とするため器具の大型化を避けることが困難である。さらに、この加熱器３００は、ヒーター３００Ａであり、ヒーター３００Ａは、電気抵抗の大きいニクロム線等の電線である。そのヒーター３００Ａは、遠赤外線源２００の温度を一定に保持する作用はない。
【０００６】
そのため、加熱器３００には、遠赤外線源２００を一定の温度に保持する制御回路が設けられ、その制御回路により、温度センサーで遠赤外線源２００の温度を検出して、スイッチをオンオフに切り換える。遠赤外線源２００が設定温度まで上昇するとスイッチをオフにしてヒーター３００Ａの通電を遮断する。通電を遮断し遠赤外線源２００の温度が設定温度まで低下するとスイッチをオンに切り換えて、遠赤外線源２００を加熱する。この動作を繰り返して、遠赤外線源２００を一定の温度に保持する。以上のように、図９に示す器具では、複雑な構成を採らざる得ない。
【０００７】
また、遠赤外線吸収照射セラミックス膜１００は、癌患部６００の体表面に固定することになる。そのため、遠赤外線吸収照射セラミックス膜１００と集光レンズ５００との位置合わせが必要になり、治療の準備段階で患者を動かして患部となる遠赤外線吸収照射セラミックス膜１００を集光レンズ５００の位置に合わせるか、集光レンズ５００を含めた図９に示す癌治療器具を移動して集光レンズ５００を患者の、患部となる遠赤外線吸収照射セラミックス膜１００に合わせる必要がある。そのため、治療の準備段階での煩雑さを避けることができず、効率よく治療を行うことが難しくなる。
【０００８】
本発明は、上記の事情に鑑みなされたものであり、複雑な機構を必要とせず、容易に患部を照射することが可能な遠赤外線照射器具の提供を目的とする。
【課題を解決するための手段】
【０００９】
上記の目的を達成するために、請求項１に記載の発明は、波長が１０μｍ以上２５μｍ以下であり、放射率が７０％以上９８％以下である遠赤外線を放射する石材を繊維部材に塗布してなることを特徴とする。
【００１０】
従って、請求項１に記載の発明によれば、石材より波長が１０μｍ以上２５μｍ以下であり、放射率が７０％以上９８％以下である遠赤外線である電磁波を放射し、電磁波が腫瘍である癌細胞に当たり、腫瘍である癌細胞が振動させ、振動により腫瘍である癌細胞に十分な栄養を摂らせず腫瘍である癌細胞を最終的に死滅させることを可能にする。
【００１１】
また、請求項２に記載の発明は、請求項１に記載の構成に加え、前記石材にはトルマリンが含まれていることを特徴とする。
【００１２】
従って、請求項２に記載の発明によれば、石材にはトルマリンが含まれ、波長が１０μｍ以上２５μｍ以下であり、放射率が７０％以上９８％以下である遠赤外線である電磁波を放射することが可能であり、その結果、電磁波が腫瘍である癌細胞に当たり、腫瘍である癌細胞が振動させ、振動により腫瘍である癌細胞に十分な栄養を摂らせず腫瘍である癌細胞を最終的に死滅させることを可能にする。
【００１３】
さらに、請求項３に記載の発明は、内周側を形成する、弾性体である内側体と、該内側体と分離され、前記内側体と対向して取り付けられることで外周側を形成する、弾性体である外側体と、前記内側体の内周面と前記外側体の内周面との間に挟み込まれる前記高密度レゾナンス波長シートと、を備え、重ね合わせた、前記内側体、前記高密度レゾナンス波長シート及び前記外側体の端部同士を連結し、円筒形状を形成することを特徴とする。
【００１４】
従って、請求項３に記載の発明によれば、内側体と外側体との間に高密度レゾナンス波長シートを重ね合わせてサポーターを形成しているので、例えば、肘、膝等の患部にサポーターを付けることで腫瘍である癌細胞等に当たり、腫瘍である癌細胞等を振動させ、振動により腫瘍である癌細胞等を最終的に死滅させることを可能にする。
【００１５】
また、請求項４に記載の発明は、請求項３に記載の構成に加え、前記内側体の前記内周面と前記外側体の前記内周面との間に前記高密度レゾナンス波長シートを挟み込み、前記内側体、前記高密度レゾナンス波長シート及び前記外側体を折り曲げて、前記内側体側に第一の凹部を形成することを特徴とする。
【００１６】
従って、請求項４に記載の発明によれば、重ね合わされた、内側体、高密度レゾナンス波長シート及び外側体の端部側を内側体側に折り曲げて折り曲げ部を形成し、重ね合わされた、内側体、高密度レゾナンス波長シート及び外側体でなす面部を経て、折り曲げ部に対向するように、重ね合わされた、内側体、高密度レゾナンス波長シート及び外側体を内側体側に折り曲げ部を形成して、内側体側に第一の凹部を形成することで、重ね合わされた、内側体、高密度レゾナンス波長シート及び外側体の連結を可能にする。
【００１７】
さらに、請求項５に記載の発明は、請求項３又は４に記載の構成に加え、前記内側体の前記内周面と前記外側体の前記内周面との間に前記高密度レゾナンス波長シートを挟み込み、前記内側体、前記高密度レゾナンス波長シート及び前記外側体を折り曲げて、前記内側体側に前記第一の凹部を形成し、前記第一の凹部に隣接して、前記内側体、前記高密度レゾナンス波長シート及び前記外側体を折り曲げて、前記外側体側に第二の凹部を形成することを特徴とする。
【００１８】
従って、請求項５に記載の発明によれば、重ね合わされた、内側体、高密度レゾナンス波長シート及び外側体の端部側を内側体側に折り曲げて折り曲げ部を形成し、重ね合わされた、内側体、高密度レゾナンス波長シート及び外側体でなす面部を経て、その折り曲げ部に対向するように、重ね合わされた、内側体、高密度レゾナンス波長シート及び外側体を内側体側に折り曲げて、新たに折り曲げ部を形成して、内側体側に第一の凹部を形成し、重ね合わされた、内側体、高密度レゾナンス波長シート及び外側体でなす面部を経て、重ね合わされた、内側体、高密度レゾナンス波長シート及び外側体を外側体側に折り曲げて折り曲げ部を形成して、外側体側に第二の凹部を形成することで、内側体、高密度レゾナンス波長シート及び外側体の連結を可能にする。
【発明の効果】
【００１９】
本発明によれば、波長が１０μｍ以上２５μｍ以下であり、放射率が７０％以上９８％以下である遠赤外線である電磁波を放射することができるので、腫瘍である癌細胞が振動させ、癌細胞を最終的に死滅させることを可能にする。また、本発明である高密度レゾナンス波長シートをサポーターとして使用する場合、サポーターの、内側体と外側体の間に挟み込むことで患部に遠赤外線である電磁波の放射を行うことができる。さらに、本発明である高密度レゾナンス波長シートをサポーターを内側体と外側体との間に挟み込む際、凹凸状に織り込むことで内側体、外側体及び高密度レゾナンス波長シートの一体化を図ることができる。
【発明を実施するための最良の形態】
【００２０】
以下、本発明を実施するための最良の形態について図面を参照して説明する。
【００２１】
本発明である高密度レゾナンス波長シート１は、遠赤外線を放射する石材からなり、波長が１０μｍ以上２５μｍ以下の範囲内であり、放射率が７０％以上９８％以下の範囲内である。また、遠赤外線を放射する石材として、本例では、トルマリンを主に用いているが、特にトルマリンに限定されることはない。さらに、高密度レゾナンス波長シート１は、遠赤外線を放射する細かい粒状の石材３としたものを繊維部材２と一体にしている。本例で用いる遠赤外線を放射する細かい粒状の石材の粒径は１００μｍから２００μｍ程度である。
【００２２】
具体的には、図１に示すように、遠赤外線を放射する細かい粒状の石材３を合成樹脂製の溶液に混ぜて、遠赤外線を放射する細かい粒状の石材３を含む合成樹脂製の溶液を繊維部材２の両面側に塗布することで、遠赤外線を放射する細かい粒状の石材３と繊維部材２とが一体にされている。そして、遠赤外線を放射する細かい粒状の石材３と一体化された繊維部材２には、さらに樹脂部材４、４が塗布されている。この塗布される樹脂部材４、４は、図１に示すように、最終的にはシート状になり、矢印Ｗ方向より繊維部材２の両面を被うことになる。このように樹脂部材４、４を繊維部材２に塗布することで繊維部材２の両面にある遠赤外線を放射する細かい粒状の石材３を被うことになり、繊維部材２から遠赤外線を放射する細かい粒状の石材３が離れるのを防止することが可能になる。以上が本発明である高密度レゾナンス波長シート１の構成である。
【００２３】
図２には、本発明である高密度レゾナンス波長シート１を用いたサポーター１０の構成の一例が示されている。サポーター１０は、本例では、図１に示すようにゴム織り布で形成した弾性本体１１を用いているが、ゴム糸を併用したゴム織り布を用いることも可能である。本例でのサポーター１０は、弾性本体１１が内側体１２と外側体１３とから構成されており、内側体１２と外側体１３との間に本発明である高密度レゾナンス波長シート１を挟み込んでいる。具体的には、サポーター１０は、図２に示すように、弾性体である内側体１２が内周側を形成し、弾性体である外側体１３が内側体１２と分離され、内側体１２と対向して取り付けられることで外周側を形成している。
【００２４】
そして、内側体１２の内周面１２ａと外側体１３の内周面１３ａとの間に高密度レゾナンス波長シート１挟み込んで、重ね合わせた、内側体１２、高密度レゾナンス波長シート１及び外側体１３を図２に示す矢印Ｘ方向に沿って曲げて、重ね合わせた、内側体１２、高密度レゾナンス波長シート１及び外側体１３の端部１２ｆ、１ｆ、１３ｆ同士を連結することになる。連結することで、図３に示すように、円筒形状のサポーター１０が完成することになる。また、高密度レゾナンス波長シート１をサポーター１０内に固定するためには、内側体１２と外側体１３とを縫い合わせる等して接合することも可能である。
【００２５】
つまり、このサポーター１０では、内側体１２と外側体１３との二体で弾性本体１１が構成され、使用に際しては内側体１２と外側体１３との間に高密度レゾナンス波長シート１を挟み込むことになる。本例では、高密度レゾナンス波長シート１は内側体１２及び外側体１３と同じ大きさに設定してあるが、必ずしも同じ大きさに設定する必要はなく、内側体１２及び外側体１３より小さく（短い長さ）設定することも可能である。そして、本例では、図３に示すように、内側体１２の外周面１２ｂは、サポーター１０の内周部を形成することになり、外側体１３の外周面１３ｂはサポーター１０の外周部を形成することになる。
【００２６】
図４から図６には、本発明である高密度レゾナンス波長シート１を用いたサポーター２０、３０、４０としての他の例が示されている。図４から図６に示すサポーター２０、３０、４０は、サポーター２０、３０、４０の製造工程の中で本発明である高密度レゾナンス波長シート１を織り込んでいく形式のものであり、高密度レゾナンス波長シート１と一体化されたサポーター２０、３０、４０である。
【００２７】
図４に示すサポーター２０では、弾性本体１１である内側体２１の内周面２１ａと弾性本体１１である外側体２２の内周面２２ａとの間に高密度レゾナンス波長シート１を挟み込んでいる。そして、弾性本体１１である内側体２１、高密度レゾナンス波長シート１及び弾性本体１１である外側体２２とを一体に織り込むために、内側体２１、高密度レゾナンス波長シート１及び外側体２２を断面矩形形状に折り曲げてある。サポーター２０の幅方向（矢印Ｚ方向）にわたって内側体２１、高密度レゾナンス波長シート１及び外側体２２を矩形形状に折り曲げて、内側体２１側に開いた部分である凹部２０ａを形成し、その凹部２０ａに隣り合って、凹部２０ａとは反対向きに（外側体２２側に）開いた部分である凹部２０ｂを形成し、というように矩形形状（凹部２０ａ、凹部２０ｂ）の列を連続してサポーター２０の長手方向（矢印Ｙ方向）に沿って形成している。以上のように、複数の矩形形状（凹部２０ａ、凹部２０ｂ）を形成することで、サポーター２０では、内側体２１、高密度レゾナンス波長シート１及び外側体２２とを一体化している。
【００２８】
具体的には、図４に示すように、重ね合わされた、内側体２１、高密度レゾナンス波長シート１及び外側体２２の端部側を内側体２１側に折り曲げて折り曲げ部２０ｃ１を形成し、重ね合わされた、内側体２１、高密度レゾナンス波長シート１及び外側体２２でなす面部２０ｄを経て、折り曲げ部２０ｃ１に対向するように、重ね合わされた、内側体２１、高密度レゾナンス波長シート１及び外側体２２を内側体２１側に折り曲げて折り曲げ部２０ｃ２を形成して、内側体２１側に第一の凹部２０ａを形成する。
【００２９】
そして、重ね合わされた、内側体２１、高密度レゾナンス波長シート１及び外側体２２でなす面部２０ｅを経て、重ね合わされた、内側体２１、高密度レゾナンス波長シート１及び外側体２２を外側体２２側に折り曲げて折り曲げ部２０ｃ３を形成して、外側体２２側に第二の凹部２０ｂを形成する。
【００３０】
そして、さらに重ね合わされた、内側体２１、高密度レゾナンス波長シート１及び外側体２２でなす面部２０ｄを経て、重ね合わされた、内側体２１、高密度レゾナンス波長シート１及び外側体２２を内側体２１側に折り曲げて折り曲げ部２０ｃ４を形成して、内側体２１側に第一の凹部２０ａを形成する。さらに、重ね合わされた、内側体２１、高密度レゾナンス波長シート１及び外側体２２でなす面部２０ｅを経て、重ね合わされた、内側体２１、高密度レゾナンス波長シート１及び外側体２２を外側体２２側に折り曲げて折り曲げ部２０ｃ５を形成して、外側体２２側に第二の凹部２０ｂを形成する。
【００３１】
以上のように、重ね合わされた、内側体２１、高密度レゾナンス波長シート１及び外側体２２に連続して第一の凹部２０ａ、第二の凹部２０ｂを形成することで、内側体２１、高密度レゾナンス波長シート１及び外側体２２の連結を行っている。サポーター２０についても図２に示すサポーター１０と同様に、内側体２１、高密度レゾナンス波長シート１及び外側体２２の端部２０ｆ同士を連結し、図３に示すような円筒状のサポーターを形成することになる。そして、サポーター２０では、内側体２１の外周面２１ｂは、サポーター２０の内周部を形成することになり、外側体２２の外周面２２ｂはサポーター１０の外周部を形成することになる。
【００３２】
図５に示すサポーター３０では、弾性本体１１である内側体３１の内周面３１ａと弾性本体１１である外側体３２の内周面３２ａとの間に高密度レゾナンス波長シート１を挟み込んでいる。そして、図５に示すサポーター３０では、図４に示すサポーター２０と同様に、弾性本体１１である内側体３１、高密度レゾナンス波長シート１及び弾性本体１１である外側体３２とを一体に織り込むために、内側体３１、高密度レゾナンス波長シート１及び外側体３２を断面矩形形状に折り曲げてある。
【００３３】
つまり、図５に示すように、サポーター３０の幅方向（矢印Ｚ方向）にわたって内側体３１、高密度レゾナンス波長シート１及び外側体３２を断面矩形形状に折り曲げて、内側体３１側に開いた部分である第一の凹部３０ａを形成し、その第一の凹部３０ａに隣り合って、第一の凹部３０ａとは反対向きに（外側体３２側に）開いた部分である第二の凹部３０ｂを形成してある。そして、さらに、その第二の凹部３０ｂに隣り合って内側体３１側に開いた部分である第一の凹部３０ａが形成してある。
【００３４】
その結果、図５に示すサポーター３０では第一の凹部３０ａ同士の間に第二の凹部３０ｂが形成されている。つまり、矩形形状（凹部３０ａ、凹部３０ｂ）の列を連続してサポーター３０の長手方向（矢印Ｙ方向）に沿って形成している。以上のように複数の矩形形状（第一の凹部３０ａ、第二の凹部３０ｂ）を形成することで、サポーター３０では、内側体３１、高密度レゾナンス波長シート１及び外側体３２とを一体化している。サポーター３０についても図２に示すサポーター１０と同様に、内側体３１、高密度レゾナンス波長シート１及び外側体３２の端部３０ｆ同士を連結し、図３に示すような円筒状のサポーターを形成することになる。そして、サポーター３０では、内側体３１の外周面３１ｂは、サポーター３０の内周部を形成することになり、外側体３２の外周面３２ｂはサポーター３０の外周部を形成することになる。
【００３５】
図６に示すサポーター４０では、弾性本体１１である内側体４１の内周面４１ａと弾性本体１１である外側体４２の内周面４２ａとの間に高密度レゾナンス波長シート１を挟み込んでいる。そして、図６に示すサポーター４０では、図４、図５に示すサポーター２０、３０と同様に、内側体４１、高密度レゾナンス波長シート１及び外側体４２とを一体に織り込むために、内側体４１、高密度レゾナンス波長シート１及び外側体４２を断面矩形形状に折り曲げてある。具体的には、サポーター４０の幅方向（矢印Ｚ方向）にわたって内側体４１、高密度レゾナンス波長シート１及び外側体４２を矩形形状に折り曲げて、内側体４１側に開いた部分である第一の凹部４０ａを形成している。
【００３６】
つまり、矩形形状（第一の凹部４０ａ）をサポーター４０の長手方向（矢印Ｙ方向）に沿って形成している。以上のように複数の矩形形状（第一の凹部４０ａ）を形成することで、サポーター４０では、内側体４１、高密度レゾナンス波長シート１及び外側体４２とを一体化している。サポーター４０についても図２に示すサポーター１０と同様に、内側体４１、高密度レゾナンス波長シート１及び外側体４２の端部４０ｆ同士を連結し、図３に示すような円筒状のサポーターを形成することになる。そして、サポーター４０では、内側体４１の外周面４１ｂは、サポーター３０の内周部を形成することになり、外側体４２の外周面４２ｂはサポーター４０の外周部を形成することになる。
【００３７】
以上のように、矩形形状（第一の凹部２０ａ、第二の凹部２０ｂ）をいくつ形成するかはサポーター２０、３０、４０の大きさによって決定されるものである。つまり、図４に示すサポーター２０ように、数多くの矩形形状（凹部２０ａ、凹部２０ｂ）を形成するのは、サポーター２０のように大きい面積の場合であり、図５及び図６に示すサポーター３０、４０のように小さい面積になるにつれて図５、図６のように矩形形状（第一の凹部２０ａ、第二の凹部２０ｂ）の数が少なくなる。
【００３８】
なお、本例では、内側体１２、２１、３１、４１、高密度レゾナンス波長シート１及び外側体１３、２２、３２、４２を矩形形状に折り曲げることで、内側体１２、２１、３１、４１、高密度レゾナンス波長シート１及び外側体１３、２２、３２、４２を凹凸状に織り込んでいるが、特に矩形形状に限定されるものではない。例えば、折り曲げ部２０ｃ１等により断面三角形形状をなしたり、折り曲げ部２０ｃ１等により断面円弧形状をなしたりすることで、内側体１２、２１、３１、４１、高密度レゾナンス波長シート１及び外側体１３、２２、３２、４２を凹凸状に織り込むことも可能である。
【００３９】
本例では、サポーター１０、２０、３０、４０のゴム織り布で形成した弾性本体１１へ高密度レゾナンス波長シート１を挟み込む形式か、ゴム織り布で形成した弾性本体１１と高密度レゾナンス波長シート１とを織り込んでいく形式が示されているが、これらの形式に限定されるものではなく、人体の患部とサポーターとの間に高密度レゾナンス波長シートを直接挟み込むことも可能である。
【００４０】
つぎに、サポーター１０を用いて高密度レゾナンス波長シート１から放射される遠赤外線である電磁波の状況について説明する。
【００４１】
高密度レゾナンス波長シート１を用いるサポーター１０は、人体の患部に付けることになる。例えば、図７に示す人体の腕の部分である手首にサポーター１０を付けたり（図７（ａ））、肘にサポーター１０を付けたり（図７（ｂ））、さらには、図８に示す人体の足の部分である足首にサポーター１０を付けたり（図８（ａ））、膝にサポーター１０を付けたりする（図８（ｂ））ことになる。そして、高密度レゾナンス波長シート１から放射される遠赤外線がサポーター１０のゴム織り布で形成した弾性本体１１に放射される。
【００４２】
高密度レゾナンス波長シート１から放射される遠赤外線である電磁波が弾性本体１１を経て人体に入射し、人体の正常細胞に入射すると、正常細胞は主にリンパ液等の水分で構成されているため、電磁波は正常細胞を通過する。つまり電磁波からのエネルギーは細胞に保存されない。しかしながら、腫瘍である癌細胞に電磁波が入射すると腫瘍である癌細胞は振動する。腫瘍である癌細胞は酸素と栄養の要求量が多く、正常細胞のリンパ液を食べる細胞であるため、腫瘍である癌細胞は電磁波が当たると振動する。つまり、電磁波は腫瘍である癌細胞を通過せず、電磁波のエネルギーが腫瘍である癌細胞に蓄積され、そのエネルギーにより腫瘍である癌細胞が振動する。
【００４３】
また、本願による遠赤外線である電磁波は人体から放つ波長（約８〜１４μｍの波長）に近く、本願による電磁波の波長と人体から放つ波長とが共振作用を起こし、より大きな波長となり運動エネルギーを活性化することが可能になり、腫瘍である癌細胞の振動をより活性化させる。腫瘍である癌細胞は栄養の要求量が多いが、振動により腫瘍である癌細胞は十分な栄養を摂ることができず腫瘍である癌細胞は最終的には死滅する。そして、正常細胞には何等の影響も生じない。
【図面の簡単な説明】
【００４４】
【図１】本発明である高密度レゾナンス波長シートの概略を示す説明図である。
【図２】本発明である高密度レゾナンス波長シートを用いたサポーターの構成を示す説明図である。
【図３】本発明である高密度レゾナンス波長シートを用いたサポーターの説明図である。
【図４】本発明である高密度レゾナンス波長シートとゴム織り布で形成した弾性本体との織り方の一例を示す説明図である。
【図５】本発明である高密度レゾナンス波長シートとゴム織り布で形成した弾性本体との織り方の他の例を示す説明図である。
【図６】本発明である高密度レゾナンス波長シートとゴム織り布で形成した弾性本体との織り方のさらに他の例を示す説明図である。
【図７】本発明である高密度レゾナンス波長シートを用いたサポーターを患部に付けた状態を示す説明図である。（ａ）は高密度レゾナンス波長シートを用いたサポーターを手首に付けた場合の説明図である。（ｂ）は高密度レゾナンス波長シートを用いたサポーターを肘に付けた場合の説明図である。
【図８】本発明である高密度レゾナンス波長シートを用いたサポーターを患部に付けた状態を示す説明図である。（ａ）は高密度レゾナンス波長シートを用いたサポーターを足首に付けた場合の説明図である。（ｂ）は高密度レゾナンス波長シートを用いたサポーターを膝に付けた場合の説明図である。
【図９】従来の、癌治療器具の使用状態を示す概略図である。
【符号の説明】
【００４５】
１…高密度レゾナンス波長シート
１０、２０、３０、４０…サポーター、１１…弾性本体、１２、２１、３１、４１…内側体、１２ａ、１３ａ、２１ａ、２２ａ、３１ａ、３２ａ、４１ａ、４２ａ…内周面、１２ｂ、１３ｂ、２１ｂ、２２ｂ、３１ｂ、３２ｂ、４１ｂ、４２ｂ…外周面、１３、２２、３２、４２…外側体、２０ａ、３０ａ、４０ａ…第一の凹部、２０ｂ、３０ｂ…第二の凹部、２０ｃ…折り曲げ部、２０ｄ、２０ｅ…面部
２…繊維部材、３…遠赤外線を放射する細かい粒状の石材、４…樹脂部材
【図１】
2009119172.tif 000003
【図２】
2009119172.tif 000004
【図３】
2009119172.tif 000005
【図４】
2009119172.tif 000006
【図５】
2009119172.tif 000007
【図６】
2009119172.tif 000008
【図７】
2009119172.tif 000009
【図８】
2009119172.tif 000010
【図９】
2009119172.tif 000011